(57)【要約】【課題】  普通券として使用されるような短期使用券をカード状の非接触券とし、磁気券を用いることなく改札処理システムを構築できるようにする。【解決手段】  利用者によって所定の口座釦入力処理が行われ、かつ、所定の金銭投入処理が行われたときに、自動券売機の本体内にセットされている非接触式自動改札機で回収されたカード状の非接触券に新たな所定のカードデータを書込んで発券する自動券売機と、その自動券売機から発券された非接触券が前記非接触式自動改札機の本体に設けられているアンテナにかざされ又はタッチされたときに得られたデータを基に所定の演算処理を行って入出場処理を行うとともに、出場処理時には、さらにその非接触券の回収を行う非接触式自動改札機とからなる。【選択図】      図１
2005309477.tif 000002
【特許請求の範囲】
【請求項１】
利用者によって所定の口座釦入力処理が行われ、かつ、所定の金銭投入処理が行われたときに、自動券売機の本体内にセットされている非接触式自動改札機で回収されたカード状の非接触券に新たな所定のカードデータを書込んで発券する自動券売機と、
前記自動券売機から発券された非接触券が前記非接触式自動改札機の本体に設けられているアンテナにかざされ又はタッチされたときに得られたデータを基に所定の演算処理を行って入出場処理を行うとともに、出場処理時には、さらにその非接触券の回収を行う非接触式自動改札機と、
からなることを特徴とする改札処理システム。
【請求項２】
請求項１に記載の改札処理システムにおいて、出場時に回収される非接触券は、自動精算機で精算処理された非接触券を含むことを特徴とする改札処理システム。
【請求項３】
請求項１又は２に記載の改札処理システムにおいて、自動券売機から発券される非接触券は、非接触式自動改札機の本体から外されて、その自動券売機の本体にセットされたカードスタッカから１枚ずつ繰出されたものであることを特徴とする改札処理システム。
【請求項４】
請求項１〜３のいずれかに記載の改札処理システムにおいて、非接触式自動改札機における非接触券の回収は、その非接触式自動改札機の本体に着脱自在に設けられたカードスタッカに積層して回収されるものであることを特徴とする改札処理システム。
【請求項５】
改札処理システムで用いられる非接触式自動改札機において、
前記非接触式自動改札機の本体に設けられているアンテナにカード状の非接触券がかざされ又はタッチされたときに、その非接触券に記録されているカードデータを読取る読取手段と、
前記読取手段で読取られたカードデータを基にした所定の演算処理により出場を許可できると判定されたときに、前記非接触券が前記非接触式自動改札機の本体内に回収されることを条件に出場を許可する出場許可制御手段と、
を有することを特徴とする改札処理システムで用いられる非接触式自動改札機。
【請求項６】
請求項５に記載の改札処理システムで用いられる非接触式自動改札機において、非接触券の回収は、その非接触式自動改札機の本体の上面に設けられている投入口に投入された非接触券に記録されているカードデータを読取って行われることを特徴とする改札処理システムで用いられる非接触式自動改札機。
【請求項７】
請求項５に記載の改札処理システムで用いられる非接触式自動改札機において、出場許可制御手段は、読取手段で読取られたカードデータを基にした所定の演算処理により出場を許可できると判定されたときに、非接触式自動改札機の本体に設けられている投入口のシャッタを開にしてその投入口からの非接触券の投入を許可するとともに、その投入された非接触券に記録されているカードデータを補助読取手段で読取り、その補助読取手段で読取られたカードデータを基にした所定の演算処理によっても出場を許可できると判定されたときに出場を許可するものであることを特徴とする改札処理システムで用いられる非接触式自動改札機。
【請求項８】
請求項６又は７に記載の改札処理システムで用いられる非接触式自動改札機において、投入口に投入された非接触券で出場できないと判定されたときに、その投入された非接触券をその投入口に返却する返却手段を設けたことを特徴とする改札処理システムで用いられる非接触式自動改札機。
【請求項９】
改札処理システムで用いられる非接触式自動改札機において、
前記非接触式自動改札機の本体に設けられている第１のアンテナにカード状の非接触券がかざされ又はタッチされたときに、その非接触券に記録されているカードデータを読取る第１の読取手段と、
前記非接触式自動改札機の本体に設けられている投入口の内側に設けられている第２のアンテナにカード状の非接触券がかざされたときに、その非接触券に記録されているカードデータを読取る第２の読取手段と、
前記第１の読取手段で読み取られたカードデータが非短期使用券の非接触券のときに前記投入口のシャッタを閉にしてその非短期使用券の非接触の出場処理を行い、前記第２の読取手段で読取られたカードデータがその非短期使用券の非接触券のときにその投入口に投入された非接触券をその投入口に排出して返却を行うとともに、前記第１のアンテナを用いた所定の処理案内を行う制御手段と、
を有することを特徴とする改札処理システムで用いられる非接触式自動改札機。
【請求項１０】
請求項９に記載の改札処理システムで用いられる非接触式自動改札において、制御手段は、第１の読取手段で短期使用券の非接触券のカードデータが読取られないとき、又は第１のアンテナに媒体がタッチ又はかざされたことが検知されたときに、投入口への投入案内を行うことを特徴とする改札処理システムで用いられる非接触式自動改札機。
【請求項１１】
請求項９又は１０に記載の改札処理システムで用いられる非接触式自動改札機において、制御手段は、第２の読取手段で読取りが行われているときに第１のアンテナを用いた交信を中止することを特徴とする改札処理システムで用いられる非接触式自動改札機。
【発明の詳細な説明】
【技術分野】
【０００１】
本発明は、無線通信機能を備えたＩＣカードからなるカード状の非接触券を用いた改札処理システム、及びその改札処理システムで用いられる非接触式自動改札機に関する。
【背景技術】
【０００２】
近年、利用者（旅客）の利便向上を図るために、定期券を非接触券とし、この非接触券を非接触式自動改札機の本体に設けられているアンテナにかざして、又はそのアンテナに軽くタッチして非接触券と非接触式自動改札機の本体との間で非接触でデータ授受を行って入出場処理（入場処理又は出場処理を意味している。）できる改札システムが運用されている。
【０００３】
ところで、上記非接触券は、無線通信機能を備えたＩＣカードからなるので、従来の磁気券からなる媒体に比べてコストが高く、したがって、１回の使用で廃券とされる普通乗車券や数回の使用で廃券とされる回数券のような短期使用券に不向きであるという性質を有している。このため、非接触式の改札処理システムが採用されても、短期使用券としての磁気券を廃止することができず、非接触券と磁気券とが混在した改札処理システムで運用されている。
【０００４】
上述のような非接触券と磁気券とが混在した改札処理システムでは、改札処理システムを実現するための自動改札機等の処理機器に非接触券処理機構と磁気券処理機構とを組込む必要があり、処理機器本体が複雑化するだけでなく、コスト高になるという欠点がある。
【０００５】
そこで、本出願人は、普通乗車券のような短期使用券を繰返し使用することによりその短期使用券も非接触式媒体とし、磁気券を必要としない改札処理システムを提案している（特許文献１参照）。
【０００６】
上記提案に係る改札処理システムは、普通乗車券のような短期使用券を無線機能を備えたＩＣチップを内蔵したコイン状（硬貨状）の非接触式トークンとしたことを特徴としている。すなわち、この提案に係る改札処理システムは、トークン発行機で発行された非接触式トークンを非接触式自動改札機の本体のアンテナにかざして、又は軽くタッチして入場するとともに、出場時には、非接触式自動改札機の本体に設けられているトークン投入口に非接触式トークンを投入して出場が行われる。そして、非接触式自動改札機の本体に回収された非接触式トークンは、再びトークン発行機にセットされて再使用される。
【特許文献１】特開２００２−３３４３６０号公報
【発明の開示】
【発明が解決しようとする課題】
【０００７】
上記提案に係る改札処理システムは、普通乗車券のような短期使用券も非接触式媒体とすることができるので、非接触式媒体のみを用いて改札処理システムを構築することができるという特長を有している。しかし、上記提案に係る改札処理システムで用いられる非接触式媒体は、コイン状の非接触式トークンであるので、その媒体の大きさが小さく、利用者がトークン発行機から発行を受けて列車に乗車し、所定の降車駅から出場するまでの間に紛失しやすいという問題点があった。
【０００８】
また、上記提案に係る非接触式トークンを用いた改札処理システムにおいても、出場の際、非接触式自動改札機の本体のトークン投入口に投入された非接触式トークンが無効と判定されたときに利用者に返却されるが、非接触式トークンはコイン状を呈しているので、非接触式自動改札機の本体の上面側に返却しようとすると特別な返却機構を必要とする欠点があり、また、単に重力を利用して返却しようとすると、利用者は非接触式自動改札機の本体の低い位置に設けられている返却口から非接触式トークンを取出さなければならないという不便があった。
【０００９】
さらに、普通乗車券のような短期使用券も非接触式媒体で円滑に運用するためには、その非接触式媒体に取扱い等の所定の案内を行うことが望ましいが、非接触式媒体が非接触式トークンの場合は、コイン状を呈した小型の媒体であるので、そのような案内を表示できないという不便があった。
【００１０】
そこで、本発明は、上記欠点を解決するためになされたものであって、その第１の目的は、利用者の使い勝手に優れたカード状の非接触券を用いて普通乗車券のような短期使用券も非接触式媒体とすることのできる改札処理システムを提供することにある。また、本発明の第２の目的は、上記改札処理システムに好適な非接触式自動改札機を提供することにある。
【課題を解決するための手段】
【００１１】
本発明に係る改札処理システムは、上記第１の目的を達成するために、請求項１に記載の発明は、利用者によって所定の口座釦入力処理が行われ、かつ、所定の金銭投入処理が行われたときに、自動券売機の本体内にセットされている非接触式自動改札機で回収されたカード状の非接触券に新たな所定のカードデータを書込んで発券する自動券売機と、その自動券売機から発券された非接触券が前記非接触式自動改札機の本体に設けられているアンテナにかざされ又はタッチされたときに得られたデータを基に所定の演算処理を行って入出場処理を行うとともに、出場処理時には、さらにその非接触券の回収を行う非接触式自動改札機と、からなることを特徴としている。
本発明の請求項２に記載の改札処理システムは、出場時に回収される非接触券は、自動精算機で精算処理された非接触券を含むことを特徴としている。
本発明の請求項３に記載の改札処理システムは、自動券売機から発券される非接触券は、非接触式自動改札機の本体から外されて、その自動券売機の本体にセットされたカードスタッカから１枚ずつ繰出されたものであることを特徴としている。
本発明の請求項４に記載の改札処理システムは、非接触式自動改札機における非接触券の回収は、その非接触式自動改札機の本体に着脱自在に設けられたカードスタッカに積層して回収されるものであることを特徴としている。
【００１２】
本発明に係る改札処理システムで用いられる非接触式自動改札機は、上記第２の目的を達成するために、請求項５に記載の発明は、改札処理システムで用いられる非接触式自動改札機において、前記非接触式自動改札機の本体に設けられているアンテナにカード状の非接触券がかざされ又はタッチされたときに、その非接触券に記録されているカードデータを読取る読取手段と、その読取手段で読取られたカードデータを基にした所定の演算処理により出場を許可できると判定されたときに、前記非接触券が前記非接触式自動改札機の本体内に回収されることを条件に出場を許可する出場許可制御手段と、を有することを特徴としている。
本発明の請求項６に記載の非接触式自動改札機は、非接触券の回収は、その非接触式自動改札機の本体の上面に設けられている投入口に投入された非接触券に記録されているカードデータを読取って行われることを特徴としている。
本発明の請求項７に記載の非接触式自動改札機は、出場許可制御手段は、読取手段で読取られたカードデータを基にした所定の演算処理により出場を許可できると判定されたときに、非接触式自動改札機の本体に設けられている投入口のシャッタを開にしてその投入口からの非接触券の投入を許可するとともに、その投入された非接触券に記録されているカードデータを補助読取手段で読取り、その補助読取手段で読取られたカードデータを基にした所定の演算処理によっても出場を許可できると判定されたときに出場を許可するものであることを特徴としている。
本発明の請求項８に記載の非接触式自動改札機は、投入口に投入された非接触券で出場できないと判定されたときに、その投入された非接触券をその投入口に返却する返却手段を設けたことを特徴としている。
本発明の請求項９に記載の非接触式自動改札機は、改札処理システムで用いられる非接触式自動改札機において、前記非接触式自動改札機の本体に設けられている第１のアンテナにカード状の非接触券がかざされ又はタッチされたときに、その非接触券に記録されているカードデータを読取る第１の読取手段と、前記非接触式自動改札機の本体に設けられている投入口の内側に設けられている第２のアンテナにカード状の非接触券がかざされたときに、その非接触券に記録されているカードデータを読取る第２の読取手段と、前記第１の読取手段で読み取られたカードデータが非短期使用券の非接触券のときに前記投入口のシャッタを閉にしてその非短期使用券の非接触の出場処理を行い、前記第２の読取手段で読取られたカードデータがその非短期使用券の非接触券のときにその投入口に投入された非接触券をその投入口に排出して返却を行うとともに、前記第１のアンテナを用いた所定の処理案内を行う制御手段と、を有することを特徴としている。
本発明の請求項１０に記載の非接触式自動改札機は、制御手段は、第１の読取手段で短期使用券の非接触券のカードデータが読取られないとき、又は第１のアンテナに媒体がタッチ又はかざされたことが検知されたときに、投入口への投入案内を行うことを特徴としている。
本発明の請求項１１に記載の非接触式自動改札機は、制御手段は、第２の読取手段で読取りが行われているときに第１のアンテナを用いた交信を中止することを特徴としている。
【発明の効果】
【００１３】
本発明の請求項１に記載の改札処理システムは、利用者によって所定の口座釦入力処理が行われ、かつ、所定の金銭投入処理が行われたときに、自動券売機の本体内にセットされている非接触式自動改札機で回収されたカード状の非接触券に新たな所定のカードデータを書込んで発券する自動券売機と、その自動券売機から発券された非接触券が前記非接触式自動改札機の本体に設けられているアンテナにかざされ又はタッチされたときに得られたデータを基に所定の演算処理を行って入出場処理を行うとともに、出場処理時には、さらにその非接触券の回収を行う非接触式自動改札機とからなるので、カード状の非接触券を繰返して使用できるから、普通乗車券のような短期使用券も非接触式媒体とすることができる。このため、改札処理システムを構成する機器から磁気券の処理機構を省略することができ、改札処理システムを安価に構築することが可能となる。また、非接触式媒体がカード状であるので、利用者の使い勝手に優れ、特に紛失を未然に防止することができる効果が得られる。
本発明の請求項２に記載の改札処理システムは、出場時に回収される非接触券は、自動精算機で精算処理された非接触券を含むので、非接触式自動改札機は、乗越精算の行われた非接触券の出場処理も可能となり、精算処理も含めた改札処理システムの完全化を図ることができる。
本発明の請求項３に記載の改札処理システムは、自動券売機から発券される非接触券は、非接触式自動改札機の本体から外されて、その自動券売機の本体にセットされたカードスタッカから１枚ずつ繰出されるので、自動券売機の本体への非接触券のセットを容易に行うことができる。
本発明の請求項４に記載の改札処理システムは、非接触式自動改札機における非接触券の回収は、その非接触式自動改札機の本体に着脱自在に設けられたカードスタッカに積層して回収されるので、カードスタッカに高密度に収納することができる。
【００１４】
本発明の請求項５に記載の改札処理システムで用いられる非接触式自動改札機は、その非接触式自動改札機の本体に設けられているアンテナにカード状の非接触券がかざされ又はタッチされたときに、その非接触券に記録されているカードデータを読取る読取手段と、その読取手段で読取られたカードデータを基にした所定の演算処理により出場を許可できると判定されたときに、前記非接触券が前記非接触式自動改札機の本体内に回収されることを条件に出場を許可する出場許可制御手段とを有するので、非接触券を確実に回収して再使用することができる。このため、普通乗車券のような短期使用券も非接触式媒体にすることができるから、非接触式自動改札機の本体内から磁気券の処理機構を省略でき、したがって、構造が簡単となり、安価に製造することができる。
本発明の請求項６に記載の非接触式自動改札機は、非接触券の回収は、その非接触式自動改札機の本体の上面に設けられている投入口に投入された非接触券に記録されているカードデータを読取って行われるので、投入口内において非接触券と非接触式自動改札機の本体との間の交信を安定して行うことができる。
本発明の請求項７に記載の非接触式自動改札機は、出場許可制御手段は、読取手段で読取られたカードデータを基にした所定の演算処理により出場を許可できると判定されたときに、非接触式自動改札機の本体に設けられている投入口のシャッタを開にしてその投入口からの非接触券の投入を許可するとともに、その投入された非接触券に記録されているカードデータを補助読取手段で読取り、その補助読取手段で読取られたカードデータを基にした所定の演算処理によっても出場を許可できると判定されたときに出場を許可するので、非接触式自動改札機の本体内に回収された非接触券が正常なときのみ出場を許可することができる。
本発明の請求項８に記載の非接触式自動改札機は、投入口に投入された非接触券で出場できないと判定されたときに、その投入された非接触券をその投入口に返却する返却手段を設けたので、無効の非接触券又は誤投入された磁気券等の異物を効率よく利用者へ返却することができる。しかも、この返却は、非接触式自動改札機の本体の上面に設けられている投入口に排出されて返却されるので、利用者が返却を受けやすいという効果がある。  本発明の請求項９に記載の非接触式自動改札機は、その非接触式自動改札機の本体に設けられている第１のアンテナにカード状の非接触券がかざされ又はタッチされたときに、その非接触券に記録されているカードデータを読取る第１の読取手段と、前記非接触式自動改札機の本体に設けられている投入口の内側に設けられている第２のアンテナにカード状の非接触券がかざされたときに、その非接触券に記録されているカードデータを読取る第２の読取手段と、前記第１の読取手段で読み取られたカードデータが非短期使用券の非接触券のときに前記投入口のシャッタを閉にしてその非短期使用券の非接触の出場処理を行い、前記第２の読取手段で読取られたカードデータがその非短期使用券の非接触券のときにその投入口に投入された非接触券をその投入口に排出して返却を行うとともに、前記第１のアンテナを用いた所定の処理案内を行う制御手段とを有するので、定期券又はＳＦカードのような非短期使用券の非接触券の投入口へ投入しての出場処理は効果的に防止される。したがって、短期使用券の非接触券以外は、投入口に投入されなくなるので、改札口が混雑するのを未然に防止することができる。
本発明の請求項１０に記載の非接触式自動改札機は、制御手段は、第１の読取手段で短期使用券の非接触券のカードデータが読取られないとき、又は第１のアンテナに媒体がタッチ又はかざされたことが検知されたときに、投入口への投入案内を行うように制御するので、短期使用券の非接触券の投入案内を効率よく行うことができる。
本発明の請求項１１に記載の非接触式自動改札機は、制御手段は、第２の読取手段で読取りが行われているときに第１のアンテナを用いた交信を中止するように制御するので、投入口内で非接触券を処理中、第１のアンテナを用いた処理が中止され、混信を未然に防止することができる。
【発明を実施するための最良の形態】
【００１５】
以下、本発明を実施するための最良の形態を図面に基づいて説明する。図１は、一実施の形態に係る改札処理システムの概略構成図である。ここでは、図面を簡略化するために、また、説明を簡単にするために、路線図は、一本の直線状の線路の端にＸ駅及びＹ駅の２駅をそれぞれ有する簡易なものとして示されている。なお、実際の路線形態は、複雑な路線形態であり、また、路線中には多くの駅を有していることはいうまでもない。
【００１６】
各駅（Ｘ駅及びＹ駅）には、非接触式自動改札機の本体（以下、「改札機本体」という。）Ｇ，Ｇ、自動券売機の本体（以下、「券売機本体」という。）ａ，ａ及び自動精算機の本体（以下、「精算機本体」という。）ｂ，ｂがそれぞれ設置されている。以下、これら機器を説明しながら図１に示される改札処理システムを説明する。
【００１７】
上記券売機本体ａは、普通乗車券又は回数券に相当する短期使用券のカード状の非接触券Ｃを発券するもので、図２に示されるように、券売機本体ａの接客面側（図２において左側）には、周知の自動券売機と同様に、押釦式又はタッチパネル式等からなる口座釦群１が設けられているとともに、硬貨や紙幣の金銭の投入口２が設けられている。そして、この投入口２の券売機本体ａの内側には、金銭処理ユニット３が設けられていて、投入口２から投入された金銭を検銭し、必要に応じて釣銭口４に釣銭を放出できるように構成されている。なお、この券売機本体ａが一種類の非接触券Ｃしか発券しない形式で、利用者が口座釦を選択する必要がない場合、上述の口座釦群１は省略される。また、この券売機本体ａが金銭の代わりにプリペイドカード等のカード類も使用できるときは、金銭処理ユニット３の他にカード処理ユニットも券売機本体ａ内に組込まれる。このため、本発明で「券売機本体に対して利用者によって所定の口座釦入力処理が行われたとき」というときは、利用者が口座釦を選択する必要がない場合も含み、また、本発明で「所定の金銭処理が行われたとき」というときは、カード類で金銭処理を行う場合も含んでいる。
【００１８】
図２中、５は発券口であって、券売機本体ａ内に着脱自在に装着されるカードスタッカＳから繰出されたカード状の非接触券Ｃが排出されるように構成されている。このカードスタッカＳは、図１に示されるように、改札機本体Ｇから外されて券売機本体ａにセット（装着）されたもので、その全体形状は角柱状を呈していて、内部にカード状の非接触券Ｃを積層して複数枚収納できるように構成されている。そして、このカードスタッカＳは、券売機本体ａ内の所定位置にセットされると、そのカードスタッカＳの下部は、アイドリングローラ及び繰出ローラ等からなる周知の繰出機構６に当接できるように構成されている。なお、図２中のＷは、カードスタッカＳ中の非接触券Ｃを繰出機構６側へ押圧するためのウエイトである。また、このカードスタッカＳには、改札処理システムの運用開始時において、改札機本体Ｇで非接触券Ｃが回収されていないので、運用開始時のカードスタッカＳには、一度も使用されたことがない新たな非接触券Ｃが充填される。このため、本発明で「改札機本体で回収された非接触券」というときは、このようなカードスタッカＳに初めて充填される非接触券Ｃも含まれている。
【００１９】
図２中、７は、上記発券口５と繰出機構６との間に設けられている搬送路であり、図示しないモータによって駆動されるように構成されている。この搬送路７は、周知のカード発行機に組込まれている搬送路と同様に、一対の無端ベルトを対設して構成され、又は多数のローラ群により構成され、あるいは、これらを組合わせて構成することができる。この搬送路７は、途中の一部が図２に矢印で示されるように、下側に向けて搬送方向を変更できる変換部７ａに形成されている。そして、この変換部７ａの先には回収箱８が設けられている。したがって、搬送路７の変換部７ａが下向に変換されたときは、非接触券Ｃを発券口５に排出することなく回収箱８に排出して回収することができる。
【００２０】
図２中、９は、上記繰出機構６と変換部７ａとの間の搬送路７近くに設けられたアンテナである。また、図２中、１０は、券売機本体ａを統括的に制御する制御器であり、この制御器１０の構成は図３に示されている。
【００２１】
すなわち、この制御器１０は、メモリ１１に記憶されているシステムプログラムデータ及びワーキングデータを用いて所定の演算処理を行うＣＰＵを中心に形成された演算部１２を有している。そして、この演算部１２には、図示しないＩ／Ｏ装置を介して口座釦群１からの情報（信号）を入力するための入力ユニット１３と、上記金銭処理ユニット３と、上記繰出機構６及び変換部７ａを含む搬送路７で形成される非接触券Ｃを発券するための機構を駆動制御する発券処理ユニット１４と、アンテナ９を接続したリーダライタユニット１５とが接続されている。このリーダライタユニット１５は、繰出機構６で繰出される非接触券Ｃに記録されているカードデータを読取るとともに、新たなカードデータを書込むことができ、また、その新たなカードデータを読取って正確に記録されているか否かをチェックできるように構成されている。この券売機本体ａの制御動作については後述する。
【００２２】
次に、図４を用いて精算機本体ｂについて説明する。この精算機本体ｂは、図４に示されるように、精算機本体ｂの接客面側（図４において左側）には、周知の自動精算機と同様に、精算原券となる非接触券Ｃ（図４では省略）を挿入するためのカード挿入口２０が設けられている。そして、このカード挿入口２０の精算機本体ｂの内側には、図示しないモータで駆動される搬送路２１が設けられていて、カード挿入口２０に挿入された非接触券Ｃを精算機本体ｂ内に取込み、その取込んだ非接触券Ｃを再びカード挿入口２０に排出できるように構成されている。また、図４中、２２はアンテナであって、搬送路２１の近くに設けられている。なお、この搬送路２１は、周知の自動精算機に組込まれている搬送路と同様に、一対の無端ベルトを対設して構成され、または多数のローラ群から構成され、あるいはこれらの組合わせで構成することができる。
【００２３】
図４中、２３は、精算機本体ｂの接客面側に設けられた表示画面であって、精算料金（不足運賃）、後述する投入口から投入された金銭の金額や釣銭の金額等の所定の内容を表示して利用者へ案内できるように構成されている。
【００２４】
図４中、２４は、硬貨や紙幣の金銭の投入口であり、この投入口２４の精算機本体ｂの内側には、金銭処理ユニット２５が設けられている。この金銭処理ユニット２４は、投入口２４から投入された金銭を検銭し、必要に応じて釣銭口２６に釣銭を放出できるように構成されている。なお、この精算機本体ｂが金銭の代わりにプリペイドカード等のカード類も使用できるときは、この金銭処理ユニット２５の他にカード処理ユニットも精算機本体ｂ内に組込まれる。
【００２５】
図４中、２７は、精算機本体ｂを統括的に制御する制御器であり、この制御器２７の構成は図５に示されている。すなわち、この制御器２７は、メモリ２８に記憶されているシステムプログラムデータ及びワーキングデータを用いて所定の演算処理を行うＣＰＵを中心に形成された演算部２９を有している。そして、この演算部２９には、図示しないＩ／Ｏ装置を介して、上記金銭処理ユニット２５と、搬送路２１の駆動制御を行うための搬送駆動ユニット３１と、表示画面２３を駆動制御する表示ユニット３２と、アンテナ２２を接続したリーダライタユニット３３とが接続されている。このリーダライタユニット３３は、搬送路２１で取込まれた非接触券Ｃに記録されているカードデータを読取るとともに、精算データである新たなカードデータを書込むことができ、また、その新たなカードデータを読取って正確に記録されているか否かをチェックできるように構成されている。この精算機本体ｂの制御動作については後述する。
【００２６】
図６は、改札機本体Ｇを構成する一対の筐体Ｇ1 ，Ｇ2 のうち、後述する制御器の組込まれている主機に当る一方の筐体Ｇ1 を改札通路Ｐ側から見たときの正面図、図７は、その改札機本体Ｇの上面図、図８は、図７の右側面図である。この改札機本体Ｇの一方の筐体Ｇ1 の入口側（図６において右側）の上面５０には、上方に少し盛り上がった接客カバー５１が設けられていて、この接客カバー５１には、この改札機本体Ｇが出場用として用いられるときに非接触券Ｃを投入するための投入口５２が設けられているとともに、その接客カバー５１の内側には、非接触券Ｃと交信するためのアンテナＡ1 （このアンテナＡ1 は、本発明の第１のアンテナにも相当している。）が設けられている。
【００２７】
上記投入口５２の開口している改札機本体Ｇの内側には、図示しないソレノイドで開閉されるシャッタ５３が設けられているとともに、このシャッタ５３の内側には、投入口５２から投入された非接触券Ｃを搬送し、その搬送した非接触券Ｃを収納するためのカードハンドラＨが設けられている。すなわち、このカードハンドラＨは、図示しないモータで駆動される搬送機構Ｌと、改札機本体Ｇ内に着脱自在にセットされる複数個（図示の例では４個）のカードスタッカＳ，Ｓ…で構成されていて、投入口５２から投入された非接触券Ｃを搬送機構Ｌの途中に設けられている切換搬送路Ｌ1 を介していずれか一つのカードスタッカＳに導いて収納できるように構成されている。また、搬送機構Ｌ近くで、かつ、投入口５２の近くには、つまり、投入口５２の内側には、この搬送機構Ｌで搬送される非接触券Ｃと交信するための本発明の補助読取手段の一部を構成するとともに、本発明の第２のアンテナに相当するアンテナＡ2 が設けられている。さらに、図６中、ｅは、搬送機構Ｌで搬送される非接触券Ｃを含む媒体の搬送位置を検出する検出器であり、光電センサ等の周知のセンサにより構成されている。
【００２８】
図６及び図８中、Ｄ1 ，Ｄ2 はドアであり、このうちドアＤ1 は改札通路Ｐの出口側に設けられ、ドアＤ2 は改札通路Ｐの入口側に設けられている。これらドアＤ1 ，Ｄ2 は後述する制御器によって開閉制御されて改札通路Ｐを開閉して利用者の通過を許可したり、または阻止できるように構成されている。そして、改札通路Ｐの出口側のドアＤ1 は、非接触券Ｃを基にして開閉制御され、改札通路Ｐの入口側のドアＤ2 は、改札通路Ｐを利用者が逆進してきたとき、すなわち、改札通路Ｐを出口側から入口側に進入したときに閉じられるとともに、改札機本体Ｇが稼働停止中に閉じられるように構成されている。
【００２９】
改札機本体Ｇの筐体Ｇ1 の改札通路Ｐの入口側の端面には、改札機本体Ｇの使用状態、つまり、改札通路Ｐを通過できるか否かを利用者に表示するための表示部５４が設けられている。また、図６中、５５，５５…は、光電型センサであって、改札通路Ｐへの利用者の進入又は改札通路Ｐからの退出、さらに通過方向を検知するための人間検知器を構成し、改札機本体Ｇの筐体Ｇ1 ，Ｇ2 の側面に所定の間隔を保って設けられている。さらに、この人間検知器は、改札機本体Ｇの筐体Ｇ1 ，Ｇ2 の上面の改札通路Ｐと反対側で、その改札通路Ｐの通過方向に沿って設けられたセンサ取付ボックス５６ａ内にそれぞれ設けられている反射型センサ５６，５６…によっても構成されている。この反射型センサ５６，５６…は、改札通路Ｐ内の大人の利用者を検知できるように、改札通路Ｐの床面から所定高さ以上の物体（利用者）を検知できるように構成されている。したがって、人間検知器は、透過型センサ５５及び反射型センサ５６の両方で検知されたときはその利用者を大人の利用者と判定し、反射型センサ５６で検知されることなく透過型センサ５５のみで検知されたときはその利用者を子供（小児）の利用者と判定することができる。
【００３０】
改札機本体Ｇの筐体Ｇ1 の側面には、利用者に対して音声により所定の案内を行うためのスピーカ５７が取付けられている。また、この改札機本体Ｇの筐体Ｇ1 の上面５０の出口側には、利用者に対して文字により所定の案内を行うための表示画面５８が取付けられている。さらに、筐体Ｇ1 のセンサ取付ボックス５５の上面で改札通路Ｐの出口側には、係員に対して無効券の発生及び利用者が子供である旨を報知するための報知灯５９が設けられている。
【００３１】
図６中、７０は、改札機本体Ｇの動作を司どる筐体Ｇ1 内に設けられた制御器であり、本発明の出場許可制御手段及び制御手段等の各手段を担っており、その電気的構成は、図９に示されている。この図９は、制御器７０及び非接触券Ｃの電気的構成を示すブロック図であって、改札機本体Ｇ側に設けられている制御器７０から説明すると、この制御器７０のＣＰＵを中心に形成される演算部７１は、メモリ７２に記憶されているシステムプログラム及びワーキングデータを用いて演算処理を行って、改札機本体Ｇを統括的に制御できるように構成されている。そして、この演算部７１には、図示しないＩ／Ｏ装置を介して上述のカードハンドラＨを駆動制御するカードハンドラ駆動ユニット７３ａと、シャッタ５３のソレノイドを駆動制御するシャッタドライバ７３ｂと、ドアＤ1 ，Ｄ2 を駆動制御するドア駆動ユニット７３ｃと、表示画面５８の表示内容を駆動制御する表示画面駆動ユニット７３ｄと、スピーカ５７を駆動制御する音声ドライバ７３ｅとが接続されている。なお、この演算部７１には、人間検知器の各センサ５５，５５…、５６，５６…の検知信号を入力するためのセンサアンプ等が接続されているが、ここでは省略されている。
【００３２】
図９中、７４は演算部７１に接続されているリーダライタであって、このリーダライタ７４には、非接触券Ｃと交信を行うためのアンテナＡ1 ，Ａ2 が接続されている。これらアンテナＡ1 ，Ａ2 は、非接触券Ｃとデータ授受を行う機能と、非接触券Ｃに電力を供給するための機能とを有している。なお、ここでは、リーダライタ７４は両アンテナＡ1 ，Ａ2 を接続しているが、各アンテナＡ1 ，Ａ2 毎にリーダライタを有するようにしてもよい。
【００３３】
非接触券Ｃは、無線通信機能を有する周知のＩＣカードからなる非接触券と同様に、アンテナ８０と、通信制御部８１と、ＣＰＵ８２と、メモリ８３と、改札機本体Ｇからの電力波をアンテナ８０を介して受信し、非接触券Ｃの駆動電力を生成する電力生成回路８４とを有している。メモリ８３には、ＣＰＵ８２の演算処理用のシステムプログラム、非接触券ＣのＩＤ（識別情報）及びその非接触券Ｃが乗車券として用いられるのに必要な運賃データや区数データ等の所定のカードデータが記録されている。
【００３４】
以下、図１及び図１０のフローチャートを用いて券売機本体ａの制御動作について説明する。今、利用者が券売機本体ａで非接触券Ｃを購入し、Ｘ駅から入場して列車に乗車し、Ｙ駅まで行こうとしているものとする。その利用者により、Ｘ駅に設置されている券売機本体ａの口座釦群１の中から所定の口座釦が押下され（ステップ１００肯定。以下、ステップを「Ｓ」とする。）、その押下された口座釦の金額を満たす金銭が券売機本体ａに投入されると（Ｓ１０２肯定、Ｓ１０４肯定）、繰出機構６が駆動されて１枚の非接触券Ｃが搬送路７上に排出されてその搬送路７によりアンテナ９の位置まで搬送される。そして、この位置で非接触券Ｃに対し押下された口座釦の金額に相当する金額データ等の所定のカードデータが書込まれる。すなわち、非接触券Ｃのメモリ８３に押下された口座釦の金額に相当する所定のカードデータが書込まれる。次いで、その書込まれたカードデータが正しく書込まれているか否かが再びアンテナ９を介して読取られてチェックされ、このチェックにおいて正常にカードデータが書込まれていると判定されると、搬送路７を介して発券口５に排出されて発券される（Ｓ１０６、Ｓ１０８肯定、Ｓ１１０）。なお、上述のチェックにおいて、カードデータが正常に書込まれていないと演算部１２において判定されたときは、変換部７ａが駆動されて非接触券Ｃが回収箱８に回収され、カードスタッカＳから新たな非接触券Ｃが繰出されて、上述と同様にしてカードデータの書込み及びチェックが行われる（Ｓ１０８否定、Ｓ１１２、Ｓ１０６）。
【００３５】
利用者が券売機本体ａから発行された非接触券Ｃを用いてＸ駅に設置されている改札機本体Ｇを介して入場する場合の制御動作は、周知の非接触式の定期券の制御動作と同一であるのでフローチャートを用いた説明は省略するが、非接触券ＣがアンテナＡ1 にかざされると、又はアンテナＡ1 に軽くタッチさせると（以下、「タッチ」で説明する。）、非接触券Ｃと改札機本体Ｇとの間で非接触でデータ授受が行われる。この非接触券Ｃには、上述のように券売機本体ａで正常にカードデータが書込まれているので、ドアＤ1 が開かれて（改札機本体Ｇがノーマルオープン方のときはそのまま）入場が許可される。したがって、利用者は、Ｘ駅から列車に乗車することができる。なお、アンテナＡ1 にタッチされた非接触券が他の鉄道会社のものであるような無効券のときは、ドアＤ1 が閉じられて入場が拒否されるとともに、スピーカ５７及び表示画面５８を介して入場拒否の原因が利用者に案内される。
【００３６】
図１１は、精算機本体ｂの制御動作を示すフローチャートであり、ここでは精算機本体ｂがＹ駅に設置されているものとして説明する。精算機本体ａのカード挿入口２０に非接触券Ｃが挿入されると、その非接触券Ｃは搬送路２１を介してアンテナ２２の位置まで取込まれ、そのアンテナ２２を介して非接触券Ｃに記録されているカードデータが読取られる。そして、その読取られたデータを基に精算料金（不足運賃）が算出され、その算出された精算料金が表示画面２３に表示される（Ｓ２００肯定、Ｓ２０２）。なお、このカード挿入口２０に挿入される非接触券Ｃは、利用者がＹ駅で出場（下車）すると乗越しになると予め分かっているときの他に、後述するように、Ｙ駅に設置されている改札機本体Ｇで精算処理が必要として出場が拒否されたものである。
【００３７】
表示画面２３に表示された精算料金の金額を満たす金銭が投入口２４から投入されると、非接触券Ｃには精算済みのデータがアンテナ２２を介して書込まれてカード挿入口２０に搬送されて利用者へ返却される（Ｓ２０４肯定、Ｓ２０６肯定、Ｓ２０８、Ｓ２１０）。
【００３８】
図１２は、利用者がＹ駅に到着し、非接触券Ｃを用いて改札機本体Ｇを介してＹ駅から出場する場合の制御動作を示している。すなわち、利用者により非接触券ＣがアンテナＡ1 にタッチされると、その非接触券Ｃと改札機本体Ｇとの間でデータ授受が行われ、制御器７０において出場用の演算処理が行われる（Ｓ３００肯定、Ｓ３０２）。この演算処理の結果、出場できると判定されれば（Ｓ３０４肯定）、シャッタ５３が開かれて投入口５２からの非接触券Ｃの投入が可能となる（Ｓ３０６）。この際、図１２のフローチャートでは省略されているが、スピーカ５７及び表示画面５８を介して非接触券Ｃの投入口５２への投入案内が行われる。
【００３９】
投入口５２に非接触券Ｃが投入されると（Ｓ３０８肯定）、その投入された非接触券Ｃは、搬送機構Ｌにより改札機本体Ｇ内に搬送されて取込まれる。この搬送の途中、アンテナＡ2 に接近してこのアンテナＡ2 を介してカードデータの読取が行われる。そして、制御器７０では、再度、そのアンテナＡ2 を介して入手したカードデータを基に出場用の演算処理が行われ、出場を許可できるときは（Ｓ３１０、Ｓ３１２肯定）、ドアＤ1 が開かれて（改札機本体Ｇ1 がノーマルオープン型のときはそのまま）出場が許可されるとともに、投入口５２に投入された非接触券Ｃは搬送機構Ｌ及び切換搬送路Ｌ1 を介していずれか一つのカードスタッカＳに積層して回収される（Ｓ３１４）。
【００４０】
上述の出場用の演算処理において、出場を許可できないと判定されたときは（Ｓ３０４否定）、ドアＤ1 が閉じられるとともに、スピーカ５７及び表示画面５８を介して精算案内が行われる（Ｓ３０７）。したがって、利用者は、上記図１１のフローチャートに従った精算処理を行って出場することとなる。また、このように出場を許可できない利用者が発生したときは、報知灯５９が点灯してその旨が係員に報知される。なお、この図１２のフローチャートでは省略されているが、精算処理の対象ともされない無効券と判定されたときは、ドアＤ1 が閉じられて係員処理がスピーカ５７及び表示画面５８を介して案内され、また、無札者が改札通路Ｐの所定位置まで進入したときもドアＤ1 が閉じられて非接触券Ｃを用いた処理案内がスピーカ５７及び表示画面５８を介して行われる。
【００４１】
投入口５２に投入された媒体がアンテナＡ1 と交信された非接触券と異なっているときには、出場を許可できないので（Ｓ３１２否定）、この場合は、ドアＤ1 が閉となり、スピーカ５７及び表示画面５８を介してアンテナＡ1 と交信したと同じ媒体、つまり非接触券Ｃを投入するようにとの案内が行われるとともに、投入口５２に投入された媒体が搬送機構Ｌの逆搬送（投入口５２から投入された媒体を改札機本体Ｇ内に取込む方向と反対方向の搬送）により投入口５２に排出されて利用者に返却される（Ｓ３１６）。このように、アンテナＡ2 を用いたカードデータの読取は、アンテナＡ1 と交信された媒体との一致をチェックするためのもので、アンテナＡ2 で読取られたカードデータの出場用の演算処理は、例えば、両媒体の識別情報（ＩＤ）を照合するだけの簡単なものとすることができる。
【００４２】
なお、投入口５２に投入された媒体が磁気券のようなアンテナＡ2 を介して改札機本体Ｇ側と交信できないような場合は、出場が許可されないことはもちろんである。このため、搬送機構Ｌに設けられている検出器ｅによりアンテナＡ2 の近くに媒体が搬送されても、アンテナＡ2 による交信が開始されないときは、投入口５２にアンテナＡ1 と交信された非接触券Ｃが投入されることなく他の媒体（異物）が投入されたと判定して搬送機構Ｌを逆搬送して異物を投入口５２に排出することとなる。
【００４３】
図１２のフローチャートでは省略されているが、投入口５２に非接触券Ｃを投入することなく利用者が改札通路Ｐを通過しようとしたときは、その利用者が改札通路Ｐの所定位置まで進入したことが人間検知器で検知されたとき、ドアＤ1 が閉じられて（既にドアＤ1 が閉じられている状態にあるときはそのまま）、スピーカ５７及び表示画面５８を介して非接触券Ｃを用いた出場案内が行われる。
【００４４】
改札機本体Ｇに回収された非接触券Ｃは、カードスタッカＳに積層されて収納される。そして、カードスタッカＳ内の非接触券Ｃが図示しない満杯センサにより満杯になったことが検出されると、満杯になったカードスタッカＳは、改札機本体Ｇから外されてＹ駅に設置されている券売機本体ａにセットされる。そして、その券売機本体ａから発券される非接触券とされる（図１のＹ駅の改札機本体Ｇ及び券売機本体ａ間のカードスタッカＳ参照）。このようなカードスタッカＳの移動は、Ｘ駅においても同様に行われる。
【００４５】
なお、上述の改札機本体Ｇでは、短期使用券の非接触券Ｃを用いた出場の際、アンテナＡ1 と交信後、アンテナＡ2 と再び交信する二重交信を採用したが、投入口５２を常時開とし、アンテナＡ2 の交信のみで出場処理を行うようにしてもよい。この場合は、アンテナＡ2 で読取られたカードデータを基にした出場用の演算処理により出場が許可できるときにドアＤ1 が開かれ、そして、その投入された非接触券ＣはカードスタッカＳに回収される。しかし、上述のように、アンテナＡ1 の交信により投入口５２が開かれるようにしたときは、投入口５２への異物の投入を未然に防止することができる。
【００４６】
上述の改札機本体Ｇは、普通乗車券又は回数券のような短期使用券の非接触券Ｃも投入口５２の外側に設けられているアンテナＡ1 との間で交信できるようにしたが、図１３に示されるフローチャートは、アンテナＡ1 （本発明に係る第１のアンテナに相当している。）は、定期券やＳＦカード等の短期使用券以外の図示しない非接触券、つまり、非短期使用券の非接触券専用とし、投入口５２の内側に設けられているアンテナＡ2 （本発明の第２のアンテナに相当している。）は、普通乗車券や回数券等の短期使用券の非接触券専用とした他の実施の形態に係る改札機本体Ｇとした場合の制御動作を示している。なお、本発明においても、回数券に係る非接触券Ｃは、最終回の回数券を除いて非短期使用券とすることができる。
【００４７】
この図１３のフローチャートに係る改札機本体Ｇにおいて、先ず、アンテナＡ1 に非短期使用券の非接触券（以下、「非短期使用券」で説明する。）がタッチされた場合について説明する。非短期使用券がアンテナＡ1 にタッチされると、アンテナＡ2 を用いたカードデータの読取りは中止される。
【００４８】
制御器７０では、アンテナＡ1 を介して得られた非短期使用券に記録されているカードデータの読取りが行われ、その読取られたカードデータの中に非短期使用券である旨の所定のデータ、すなわち、定期券データ又はＳＦカード等の所定のデータが含まれていることをもって、アンテナＡ1 にタッチされた媒体は非短期使用券と判定され（Ｓ４００肯定、Ｓ４０２、Ｓ４０４否定）、投入口５２がシャッタ５３で閉じられる（Ｓ４０６）。このように、アンテナＡ1 が媒体（非短期使用券）と交信中、アンテナＡ2 の交信が中止されるので、両アンテナＡ1 ，Ａ2 から同時に情報を取込まれることがなく、したがって、混信が効果的に防止される。また、アンテナＡ1 が非短期使用券と交信中は、投入口５２がシャッタ５３で閉じられるので、投入口５２への非短期使用券の投入が効果的に防止される。
【００４９】
アンテナＡ1 を用いて得られた非短期使用券のカードデータを基にした出場用の演算処理の結果、出場を許可できるときは、ドアＤ1 が開かれて（改札機本体Ｇがノーマルオープン型のときはそのまま）出場が許可され、その非短期使用券の一連の出場処理は終了となり、他方、その演算処理の結果、出場を許可できないときは、ドアＤ1 が閉じられて出場が拒否されるとともに、スピーカ５７及び表示画面５８を介して精算処理等の所定の案内が行われる（Ｓ４０８、Ｓ４１０肯定）。
【００５０】
ところで、アンテナＡ1 にタッチされたときに読取られたカードデータ中に短期使用券の非接触券Ｃ（以下、「短期使用券Ｃ」として説明する。）を示す所定のカードデータ、すなわち、普通券を示すカードデータが含まれているときは（Ｓ４０４肯定）、スピーカ５７及び表示画面５８を介して投入口５２への投入案内が行われる（Ｓ４１２）。
【００５１】
なお、上述の投入口５２への投入案内は、アンテナＡ1 を介して短期使用券Ｃのカードデータを読取って行ったが、これをカードデータを読取ることなく行うようにしてもよい。例えば、アンテナＡ1 を介して読取られるカードデータは、非短期使用券がアンテナＡ1 にタッチされたときのみ可能とし、短期使用券ＣがアンテナＡ1 にタッチされたときは無反応にするとともに、アンテナＡ1 に媒体がタッチ又はかざされたことを反射型センサ等の周知のセンサで検出して投入口５２への投入案内を行うようにしてもよい。
【００５２】
次に、投入口５２に短期使用券Ｃが投入された場合について説明する。投入口５２に短期使用券Ｃが投入されると、その投入された短期使用券Ｃが搬送機構Ｌで搬送される途中、アンテナＡ2 に接近してその短期使用券Ｃに記録されているカードデータが読取られる（Ｓ４００否定、Ｓ４１４肯定、Ｓ４１６）。このアンテナＡ2 でデータの読取りが行われている間は、アンテナＡ1 を用いたデータ読取りは中止されて混信が防止される。
【００５３】
アンテナＡ2 を用いて読取られたカードデータの中に短期使用券Ｃである旨の所定のデータ、すなわち、普通乗車券等の所定のデータが含まれていることをもって、アンテナＡ2 に接近した媒体、すなわち、投入口５２に投入された媒体は短期使用券Ｃと判定される。
【００５４】
アンテナＡ2 を用いて得られた短期使用券Ｃのカードデータを基にした出場用の演算処理の結果、出場を許可できるときは、ドアＤ1 が開かれて出場が許可され、その短期使用券Ｃの一連の出場処理は終了となり、他方、その演算処理の結果、出場を許可できないときは、ドアＤ1 が閉じられて出場が拒否されるとともに、スピーカ５７及び表示画面５８を介して精算処理等の所定の案内が行われる（Ｓ４２０、Ｓ４１０肯定）。
【００５５】
次に、非短期使用券がアンテナＡ1 と交信されることなく投入口５２に投入された場合について説明する。この場合は、投入口５２に投入された非短期使用券は、搬送機構Ｌで搬送される途中、アンテナＡ2 に接近してその非短期使用券に記録されているカードデータが読取られる（Ｓ４００否定、Ｓ４１４肯定、Ｓ４１６）。その読取られたデータ中には、投入口５２に投入された媒体が非短期使用券である旨を示す所定のデータ、すなわち、定期券データ又はＳＦカードデータが含まれているので（Ｓ４１８否定）、搬送機構Ｌの搬送が停止され、その搬送機構Ｌの逆搬送が開始されて、つまり、改札機本体Ｇ内に取込んだ媒体を投入口５２に排出する搬送が開始されて非短期使用券が投入口５２に排出されて利用者へ返却されるとともに、スピーカ５７及び表示画面５８を介してアンテナＡ1 へのタッチが案内される（Ｓ４２２）。
【００５６】
上述のように、この改札機本体Ｇでは、非短期使用券を投入口５２へ投入しての出場処理を禁止するようにしているので、利用者は、次回から投入口５２に非短期使用券を投入しなくなり、改札口が混雑するのを未然に防止することが可能となる。
【００５７】
なお、上記改札機本体Ｇは、出場用に使用されるものとして示されているが、Ｘ駅又はＹ駅において入場専用機として用いられる場合は、改札機本体Ｇ内からアンテナＡ2 、投入口５２、シャッタ５３及びカードハンドラＨを省略した簡素なものとすることができる。また、上述のアンテナＡ2 等を備えた改札機本体Ｇを入場専用機とするときは、投入口５２はシャッタ５３で常閉とされ、また、アンテナＡ2 及びカードハンドラＨの機能は停止される。
【図面の簡単な説明】
【００５８】
【図１】本発明の一実施の形態に係る改札処理システムの概略構成図である。
【図２】券売機本体の概略構成図である。
【図３】券売機本体の制御器のブロック図である。
【図４】精算機本体の概略構成図である。
【図５】精算機本体の制御器のブロック図である。
【図６】改札機本体を構成する一対の筐体のうちの一方の筐体を改札通路側から見たときの一部を断面して示した正面図である。
【図７】改札機本体の上面図である。
【図８】図７の右側面図である。
【図９】改札機本体の制御器及び非接触券のブロック図である。
【図１０】券売機本体の制御動作を示すフローチャートである。
【図１１】精算機本体の制御動作を示すフローチャートである。
【図１２】改札機本体の制御動作を示すフローチャートである。
【図１３】本発明の他の実施の形態に係る改札機本体の制御動作を示すフローチャートである。
【符号の説明】
【００５９】
Ｃ  非接触券（短期使用券）
Ｇ  改札機本体（非接触式自動改札機の本体）
Ｄ1 ，Ｄ2 ドア
ａ  券売機本体（自動券売機の本体）
ｂ  精算機本体（自動精算機の本体）
Ｓ  カードスタッカ
Ａ1   アンテナ（第１のアンテナ）
Ａ2   アンテナ（第２のアンテナ）
５２  投入口
５３  シャッタ
７０  制御器
【図１】
2005309477.tif 000003
【図２】
2005309477.tif 000004
【図３】
2005309477.tif 000005
【図４】
2005309477.tif 000006
【図５】
2005309477.tif 000007
【図６】
2005309477.tif 000008
【図７】
2005309477.tif 000009
【図８】
2005309477.tif 000010
【図９】
2005309477.tif 000011
【図１０】
2005309477.tif 000012
【図１１】
2005309477.tif 000013
【図１２】
2005309477.tif 000014
【図１３】
2005309477.tif 000015